(57)【特許請求の範囲】
【請求項１】
マクロセル基地局装置と、該マクロセル基地局装置のセルの一部の領域を少なくとも含む領域をセルとする小型基地局装置と、移動局装置とを備える無線通信システムであって、
前記マクロセル基地局装置または前記小型基地局装置は、前記移動局装置がハンドオーバー可能な前記小型基地局装置を示す小型基地局情報を、前記移動局装置に通知する通知部を備え、
前記移動局装置は、前記通知された小型基地局情報に基づき、ハンドオーバー先を選択するハンドオーバー先選択部を備え、
前記小型基地局装置は、
前記移動局装置と当該基地局装置との通信状態を検出する通信状態検出部と、
前記通信状態検出部の検出結果に基づき、前記小型基地局装置へのハンドオーバーが可能か否かを判定するハンドオーバー判定部と、
を備え、
前記通知部は、前記ハンドオーバー判定部の判定結果に従い、前記小型基地局情報を生成して通知する、
無線通信システム。
【請求項２】
前記小型基地局装置は、前記通信状態検出部と、前記ハンドオーバー判定部とを備え、
前記通信状態検出部は、前記移動局装置が当該小型基地局装置に係わるハンドオーバーを行なう頻度を検出し、
前記マクロセル基地局装置は、前記通知部を備え、
前記通知部は、前記判定結果に従い、前記小型基地局情報を生成して通知する、
請求項１に記載の無線通信システム。
【請求項３】
前記小型基地局装置は、前記通信状態検出部と、前記ハンドオーバー判定部とを備え、
前記通信状態検出部は、前記移動局装置が送信した信号の受信レベルを測定し、
前記マクロセル基地局装置は、前記通知部を備え、
前記通知部は、前記判定結果に従い、前記小型基地局情報を生成して通知する、
請求項１に記載の無線通信システム。
【請求項４】
前記小型基地局装置は、前記通信状態検出部と、前記ハンドオーバー判定部とを備え、
前記通信状態検出部は、前記移動局装置が信号を送信する際の送信電力を検出し、
前記マクロセル基地局装置は、前記通知部を備え、
前記通知部は、前記判定結果に従い、前記小型基地局情報を生成して通知する、
請求項１に記載の無線通信システム。
【請求項５】
前記通知部は、前記判定結果に従い、前記小型基地局情報を生成して通知してから、予め決められた時間が経過すると、前記判定結果に関わらず、前記小型基地局装置へのハンドオーバーが可能であることを示す小型基地局情報を生成して通知する、請求項１から４のいずれかの項に記載の無線通信システム。
【請求項６】
複数の前記小型基地局装置を備え、
前記小型基地局装置は、前記通知部と、前記通信状態検出部と、前記ハンドオーバー判定部とを備える、
請求項１に記載の無線通信システム。
【請求項７】
前記ハンドオーバー判定部によりハンドオーバー可能でないと判定された小型基地局装置を示す情報を、前記通知部が前記小型基地局情報から削除しておくのは、所定の時間の間である、請求項１に記載の無線通信システム。
【請求項８】
マクロセル基地局装置と、該マクロセル基地局装置のセルの一部の領域を少なくとも含む領域をセルとする小型基地局装置と、移動局装置とを備える無線通信システムにおけるハンドオーバー方法であって、
前記小型基地局装置が、前記移動局装置と当該基地局装置との通信状態を検出する第１の過程と、
前記小型基地局装置が、前記通信状態検出部の検出結果に基づき、前記小型基地局装置へのハンドオーバーが可能か否かを判定する第２の過程と、
前記マクロセル基地局装置または前記小型基地局装置が、前記第２の過程の判定結果に従い、前記移動局装置がハンドオーバー可能な前記小型基地局装置を示す小型基地局情報を、前記移動局装置に通知する第３の過程と、
前記移動局装置が、前記通知された小型基地局情報に基づき、ハンドオーバー先を選択する第４の過程と
を備える、ハンドオーバー方法。
【発明の詳細な説明】
【技術分野】
【０００１】
本発明は、無線通信システムおよびハンドオーバー方法に関する。
本願は、２００９年８月２６日に、日本に出願された特願２００９−１９５７１０号に基づき優先権を主張し、その内容をここに援用する。
【背景技術】
【０００２】
ＣＳＧ（Closed Subscriber Group）セルのサービスを提供する無線通信システムでは、通信中の携帯端末が移動を続ける場合には、ＣＳＧセル用の小型基地局が提供するサービス範囲が、マクロセル基地局が提供するサービス範囲より小さいため、そのＣＳＧセル用小型基地局に一旦接続を行っても、直ちにその小型基地局のサービス範囲外に移動してしまい、ＣＳＧセル用小型基地局からマクロセル基地局にハンドオーバーを行う。次に、元の場所に携帯端末が戻れば、元のＣＳＧセル用小型基地局にハンドオーバーを行うし、新たな場所に移動すれば、新たなＣＳＧセル用小型基地局へハンドオーバーする。このように、携帯端末が、移動すれば、従来のマクロセルだけのサービスを提供する無線通信システムより、ハンドオーバーの回数が増えることが知られている。【０００３】
携帯端末が移動して、マクロセル基地局からマイクロセル小型基地局、マイクロセル小型基地局からマクロセル基地局へのハンドオーバーが頻繁に行われると、携帯端末と基地局間の制御データが増加するため、ユーザーデータ量が低下し、スループットが低下する。他にも、ハンドオーバーが繰り返されると、ネットワーク交換機による携帯端末の所在管理に、大きな負荷がかかり、通信網の負荷が増大する。そこで、ハンドオーバーが頻繁に行われることを防止するために、従来から以下のような方法がある。
特許文献１には、携帯端末の電池残量によって、携帯端末がハンドオーバーの動作を制限する方法が記載されている。特許文献２には、携帯端末が、自らの移動速度を検出し、速度に応じてハンドオーバーを止め、マクロセルに接続する方法が記載されている。
なお、ＣＳＧ（Closed Subscriber Group）セルとは、マイクロセルのうち、特定のユーザーだけが利用可能なセルのことを言う。
【先行技術文献】
【特許文献】
【０００４】
【特許文献１】特開２００７−９７１２２号公報
【特許文献２】特開平９−５１５７１号公報
【発明の概要】
【発明が解決しようとする課題】
【０００５】
しかしながら、上述の従来の方法においては、携帯端末（移動局装置）側にて制御することで、ハンドオーバーを抑制しているため、周辺のモニター動作によって周辺のセルの状況を把握しなければならないなど、移動局装置における処理負荷が増大してしまうという問題がある。【０００６】
本発明は、このような事情に鑑みてなされたもので、その目的は、移動局装置における処理負荷の増大を抑制しつつ、ハンドオーバーを抑制することができる無線通信システムおよび無線通信方法を提供することにある。
【課題を解決するための手段】
【０００７】
（１）この発明は上述した課題を解決するためになされたもので、本発明の無線通信システムは、マクロセル基地局装置と、該マクロセル基地局装置のセルの一部の領域を少なくとも含む領域をセルとする小型基地局装置と、移動局装置とを備える無線通信システムであって、前記マクロセル基地局装置または前記小型基地局装置は、前記移動局装置がハンドオーバー可能な前記小型基地局装置を示す小型基地局情報を、前記移動局装置に通知する通知部を備え、前記移動局装置は、前記通知された小型基地局情報に基づき、ハンドオーバー先を選択するハンドオーバー先選択部を備える。【０００８】
（２）また、本発明の無線通信システムは、上述の無線通信システムであって、前記マクロセル基地局装置または前記小型基地局装置は、前記移動局装置と当該基地局装置との通信状態を検出する通信状態検出部と、前記通信状態検出部の検出結果に基づき、前記小型基地局装置へのハンドオーバーが可能か否かを判定するハンドオーバー判定部と、を備え、前記通知部は、前記ハンドオーバー判定部の判定結果に従い、前記小型基地局情報を生成して通知する。【０００９】
（３）また、本発明の無線通信システムは、上述の無線通信システムであって、前記マクロセル基地局装置の備える前記通信状態検出部は、前記移動局装置がハンドオーバーを行なう頻度を検出する。【００１０】
（４）また、本発明の無線通信システムは、上述の無線通信システムであって、前記通信状態検出部は、前記小型基地局装置毎に、該小型基地局装置に係わるハンドオーバーを前記移動局装置が行なう頻度を検出し、前記マクロセル基地局装置の備える前記ハンドオーバー判定部は、前記ハンドオーバー頻度検出の検出結果に基づき、前記小型基地局装置の各々へのハンドオーバーが可能か否かを判定する。【００１１】
（５）また、本発明の無線通信システムは、上述の無線通信システムであって、前記小型基地局装置は、前記通信状態検出部と、前記ハンドオーバー判定部とを備え、前記通信状態検出部は、前記移動局装置が当該小型基地局装置に係わるハンドオーバーを行なう頻度を検出し、前記マクロセル基地局装置は、前記通知部を備え、前記通知部は、前記判定結果に従い、前記小型基地局情報を生成して通知する。【００１２】
（６）また、本発明の無線通信システムは、上述の無線通信システムであって、前記小型基地局装置は、前記通信状態検出部と、前記ハンドオーバー判定部とを備え、前記通信状態検出部は、前記移動局装置が送信した信号の受信レベルを測定し、前記マクロセル基地局装置は、前記通知部を備え、前記通知部は、前記判定結果に従い、前記小型基地局情報を生成して通知する。【００１３】
（７）また、本発明の無線通信システムは、上述の無線通信システムであって、前記小型基地局装置は、前記通信状態検出部と、前記ハンドオーバー判定部とを備え、前記通信状態検出部は、前記移動局装置が信号を送信する際の送信電力を検出し、前記マクロセル基地局装置は、前記通知部を備え、前記通知部は、前記判定結果に従い、前記小型基地局情報を生成して通知する。【００１４】
（８）また、本発明の無線通信システムは、上述のいずれかの無線通信システムであって、前記通知部は、前記判定結果に従い、前記小型基地局情報を生成して通知してから、予め決められた時間が経過すると、前記判定結果に関わらず、前記小型基地局装置へのハンドオーバーが可能であることを示す小型基地局情報を生成して通知する。【００１５】
（９）また、本発明の無線通信システムは、上述の無線通信システムであって、複数の前記小型基地局装置を備え、前記小型基地局装置は、前記通知部と、前記通信状態検出部と、前記ハンドオーバー判定部とを備える。【００１６】
（１０）また、本発明のハンドオーバー方法は、マクロセル基地局装置と、該マクロセル基地局装置のセルの一部の領域を少なくとも含む領域をセルとする小型基地局装置と、移動局装置とを備える無線通信システムにおけるハンドオーバー方法であって、前記マクロセル基地局装置または前記小型基地局装置が、前記移動局装置がハンドオーバー可能な前記小型基地局装置を示す小型基地局情報を、前記移動局装置に通知する第１の過程と、前記移動局装置が、前記通知された小型基地局情報に基づき、ハンドオーバー先を選択する第２の過程とを備える。
【発明の効果】
【００１７】
この発明によれば、マクロセル基地局装置または小型基地局装置の通知部は、ハンドオーバー可能な小型基地局装置を示す小型基地局情報を移動局装置に通知し、移動局装置のハンドオーバー先選択部は、通知された小型基地局情報に基づき、ハンドオーバー先を選択するので、移動局装置における処理負荷の増大を抑制しつつ、ハンドオーバーを抑制することができる。
【図面の簡単な説明】
【００１８】
【図１】この発明の第１の実施形態による無線通信システム１の構成を示す概念図である。
【図２】同実施形態における無線通信システム１の構成を示す概略ブロック図である。
【図３】同実施形態におけるマクロセルＡとＣＳＧセルＢとの間を移動局装置１０が移動しているときの在圏状況の例を示す図である。
【図４】同実施形態におけるマクロセル基地局装置２０の動作を説明するフローチャートである。
【図５】この発明の第２の実施形態による無線通信システム１ａにおけるセルの配置状況を示す図である。
【図６】同実施形態における無線通信システム１ａの構成を示す概略ブロック図である。
【図７】同実施形態におけるマクロセルＡとＣＳＧセルＢとの間を移動局装置１０が移動しているときの在圏状況の例を示す図である。
【図８】同実施形態におけるマクロセル基地局装置２０ａ、小型基地局装置３０ａの動作を説明するフローチャートである。
【図９】この発明の第３の実施形態による無線通信システム１ｂの構成を示す概略ブロック図である。
【図１０】同実施形態におけるマクロセルＡとＣＳＧセルＢとの間を移動局装置１０が移動しているときの在圏状況の例を示す図である。
【図１１】同実施形態におけるマクロセル基地局装置２０ａと小型基地局装置３０ｂの動作を説明するフローチャートである。
【図１２】この発明の第４の実施形態による無線通信システム１ｃの構成を示す概略ブロック図である。
【図１３】同実施形態におけるマクロセルＡとＣＳＧセルＢとの間を移動局装置１０が移動しているときの在圏状況の例を示す図である。
【図１４】同実施形態におけるマクロセル基地局装置２０ａと小型基地局装置３０ｃの動作を説明するフローチャートである。
【図１５】この発明の第５の実施形態による無線通信システム１ｄの構成を示す概略ブロック図である。
【図１６】同実施形態におけるマクロセルＡとＣＳＧセルＢとＣＳＧセルＣとの間を移動局装置１０が移動しているときの在圏状況の例を示す図である。
【発明を実施するための形態】
【００１９】
［第１の実施形態］
以下、図面を参照して、本発明の第１の実施形態について説明する。図１は、この発明の第１の実施形態による無線通信システム１の構成を示す概念図である。図１に示すように、本実施形態における無線通信システム１は、移動局装置１０と、広域サービスを提供するマクロセル基地局装置２０と、小型基地局装置３０、３１とを有する。
図１では、マクロセル基地局装置２０がサービスを提供する範囲をマクロセルＡとしている。また、マクロセルＡの一部の領域を、小型基地局装置３０がサービスを提供する範囲であるＣＳＧセルＢとしている。同様にマクロセルＡの一部の領域を、小型基地局装置３１がサービスを提供する範囲であるＣＳＧセルＣとしている。
【００２０】
マクロセル基地局装置２０のサービス範囲内（マクロセルＡ）で、小型基地局装置３０が正常に動作している場合には、マクロセルＡの基地局であるマクロ基地局装置２０は、移動局装置１０に通知するＣＳＧ情報に、ＣＳＧセルＢの情報を含めて通知する。このＣＳＧセルＢの情報は、ＣＳＧセルＢのサービス範囲を提供する小型基地局装置３０の情報でもある。移動局装置１０は、受信したＣＳＧ情報を保持する。
【００２１】
また、マクロセル基地局装置２０は、タイマーＡとタイマーＢの２種類の時間を測定するための機能を持つ。タイマーＡは、ハンドオーバーを検出したときに動作を開始し、規定時間ＴＡで停止する。マクロセル基地局装置２０は、タイマーＡが動作中に、携帯端末のハンドオーバー回数を数える。タイマーＢは、変更した新たなＣＳＧ情報を通知してから、元のＣＳＧ情報に戻すまでの時間ＴＢをカウントするものである。ハンドオーバー回数を測定している時間ＴＡの値と、元のＣＳＧ情報に戻すまでの時間ＴＢの値は、マクロセル基地局装置２０が保持しており、ネットワーク状況や携帯端末の動作によって、変更が可能な値である。
【００２２】
図２は、本実施形態における無線通信システム１の構成を示す概略ブロック図である。無線通信システム１は、移動局装置１０、マクロセル基地局装置２０、小型基地局装置３０、３１を備える。マクロセル基地局装置２０、小型基地局装置３０、３１は、ネットワーク４０を介して、互いに通信可能に接続されている。移動局装置１０は、無線受信部１１０、受信アンテナ１１１、無線送信部１２０、送信アンテナ１２１、制御部１３０を備える。制御部１３０は、受信品質測定部１３１、ＣＳＧ情報記憶部１３２、ハンドオーバー先選択部１３３を備える。
【００２３】
マクロセル基地局装置２０は、無線受信部２１０、受信アンテナ２１１、無線送信部２２０、送信アンテナ２２１、制御部２３０、ネットワーク通信部２４０を備える。制御部２３０は、ハンドオーバー処理部２３１、ハンドオーバー頻度検出部２３２、ハンドオーバー判定部２３３、ＣＳＧ情報キャンセル部２３４、ＣＳＧ情報通知部２３５を備える。小型基地局装置３０と小型基地局装置３１とは、同様の構成であり、それぞれ、無線受信部３１０、受信アンテナ３１１、無線送信部３２０、送信アンテナ３２１、制御部３３０、ネットワーク通信部３４０を備える。制御部３３０は、ハンドオーバー処理部３３１を備える。
【００２４】
移動局装置１０の無線受信部１１０は、受信アンテナ１１１を介して、マクロセル基地局装置２０または小型基地局装置３０、３１が送信した無線信号を受信する。無線受信部１１０は、受信した信号を復調して得られたデータを制御部１３０に出力する。無線送信部１２０は、制御部１３０から受けたデータを変調し、無線アンテナ１２１を介して、マクロ基地局装置２０または小型基地局装置３０、３１に送信する。
【００２５】
制御部１３０は、無線受信部１１０からデータを受けて、該データに応じたデータ、および、マクロセル基地局装置２０または小型基地局装置３０に送信するデータを生成して、無線送信部１２０に出力する。制御部１３０の受信品質測定部１３１は、無線受信部１１０が受信アンテナ１１１を介して受信した各セルの信号について、受信品質を測定する。なお、受信品質の測定に必要な信号については、受信品質測定部１３１は、無線受信部１１０から取得する。ここで、受信品質として、信号対雑音比（Signal to Noise Ratio）や、信号対干渉雑音電力比（Signal to Interference Noise Ratio）を用いても良いし、ＲＳＲＰ（Reference Signal Receive Power）などの受信電力、または、伝搬損失を示すｐａｔｈｌｏｓｓを用いるようにしてもよい。
【００２６】
ＣＳＧ情報記憶部１３２は、マクロセル基地局装置２０から通知され、無線受信部１１０が受信および復調して得たＣＳＧ情報を記憶する。ハンドオーバー先選択部１３３は、通知されたＣＳＧ情報と、受信品質測定部１３１が測定した各セルの受信品質とに基づき、ハンドオーバー先を選択する。ここで、ＣＳＧ情報（小型基地局情報）は、当該ＣＳＧ情報が通知された移動局装置１０のハンドオーバー先の候補となる小型基地局装置を示す情報を含む。
【００２７】
マクロセル基地局装置２０の無線受信部２１０は、受信アンテナ２１１を介して、移動局装置１０が送信した無線信号を受信する。無線受信部２１０は、受信した信号を復調して得られたデータを制御部２３０に出力する。無線送信部２２０は、制御部２３０から受けたデータを変調し、無線アンテナ２２１を介して、移動局装置１０に送信する。制御部２３０は、無線受信部２１０からデータを受けて、該データに応じたデータ、および、移動局装置１０に送信するデータを生成して、無線送信部２２０に出力する。ネットワーク通信部２４０は、ネットワーク４０を介して、小型基地局装置３０、３１と通信する。また、移動局装置１０宛てのデータをネットワーク４０から受けて、制御部２３０に出力する。
【００２８】
ハンドオーバー処理部２３１は、移動局装置１０からのハンドオーバー実施の指示を、無線受信部２１０が受信すると、該指示にてハンドオーバー先に指定された小型基地局装置とネットワーク通信部２４０を介して通信し、ハンドオーバーを実行する。また、ハンドオーバー処理部２３１は、小型基地局装置３０、３１からのハンドオーバー実施の指示をネットワーク通信部２４０が受信すると、該指示にて指定された移動局装置１０のハンドオーバーを実行する。
【００２９】
ハンドオーバー頻度検出部２３２は、移動局装置１０とマクロセル基地局装置２０との通信状態を検出する本実施形態における通信状態検出部である。本実施形態では、ハンドオーバー頻度検出部２３２は、ハンドオーバー処理部２３１が行なう移動局装置１０の各小型基地局装置に係るハンドオーバーの回数を、最初のハンドオーバーからタイマーＡが終了するまでの間（時間ＴＡ）、カウントすることで、移動局装置１０がハンドオーバーを行なう頻度を検出する。ハンドオーバー判定部２３３は、ハンドオーバー頻度検出部２３２の検出結果に基づき、小型基地局装置３０および３１へのハンドオーバーが可能か否かを判定する。具体的には、ハンドオーバー判定部２３３は、ハンドオーバー頻度検出部２３２がハンドオーバーを検出する度に、タイマーＡを開始してからの検出した回数を予め設定された閾値（規定回数）と比較し、該閾値を超えたときは、その小型基地局装置へのハンドオーバー不可と判定する。
【００３０】
ＣＳＧ情報通知部２３５（通知部）は、ハンドオーバー判定部２３３の判定結果に従い、ＣＳＧ情報を生成して移動局装置１０に通知する。すなわち、ＣＳＧ情報通知部２３５は、ハンドオーバー判定部２３３による判定の結果、ハンドオーバー不可と判定された小型基地局装置を除いた小型基地局装置を示す情報のリストを含むＣＳＧ情報を生成して、無線送信部２２０を介して、移動局装置１０に送信する。
ＣＳＧ情報キャンセル部２３４は、ＣＳＧ情報通知部２３５がハンドオーバー判定部２３３の判定結果に従い、ＣＳＧ情報を生成して通知してから、予め決められた時間（時間ＴＢ）だけ経過すると、先の判定結果に関わらず、小型基地局装置へのハンドオーバーが可能であることを示すＣＳＧ情報を生成して、ＣＳＧ情報通知部２３５に通知させる。
【００３１】
なお、上述のハンドオーバー頻度検出部２３２は、小型基地局装置毎に頻度を検出していたが、小型基地局装置に関係なくハンドオーバーが行われる頻度を検出するようにしてもよい。この場合、ハンドオーバー判定部２３３は、小型基地局装置毎にハンドオーバー可・不可を判定するのではなく、移動局装置１０毎にハンドオーバー可・不可を判定し、ＣＳＧ情報通知部２３５は、全ての小型基地局装置がハンドオーバー可であるか、全ての小型基地局装置がハンドオーバー不可であるＣＳＧ情報を作成して、通知する。
【００３２】
小型基地局装置３０、３１の無線受信部３１０は、受信アンテナ３１１を介して、移動局装置１０が送信した無線信号を受信する。無線受信部３１０は、受信した信号を復調して得られたデータを制御部３３０に出力する。無線送信部３２０は、制御部３３０から受けたデータを変調し、無線アンテナ３２１を介して、移動局装置１０に送信する。制御部３３０は、無線受信部３１０からデータを受けて、該データに応じたデータ、および、移動局装置１０に送信するデータを生成して、無線送信部３２０に出力する。ネットワーク通信部３４０は、ネットワーク４０を介して、マクロセル基地局装置２０および当該装置以外の小型基地局装置と通信する。また、移動局装置１０宛てのデータをネットワーク４０から受けて、制御部３３０に出力する。
【００３３】
ハンドオーバー処理部３３１は、移動局装置１０からのハンドオーバー実施の指示を、無線受信部３１０が受信すると、該指示にてハンドオーバー先に指定された小型基地局装置とネットワーク通信部３４０を介して通信し、ハンドオーバーを実行する。また、ハンドオーバー処理部３３１は、マクロセル基地局装置２０または小型基地局装置３０、３１からのハンドオーバー実施の指示をネットワーク通信部２４０が受信すると、該指示にて指定された移動局装置１０のハンドオーバーを実行する。
【００３４】
図３は、本実施形態におけるマクロセルＡとＣＳＧセルＢとの間を移動局装置１０が移動しているときの在圏状況の例を示す図である。図３の例では、マクロセル基地局装置２０と通信中の移動局装置１０が、マクロセルＡのサービス範囲内を移動し、さらにＣＳＧセルＢのサービス範囲内に移動する。このとき、移動局装置１０は、周辺をサーチして小型基地局装置３０（ＣＳＧセルＢ）が見付かると、マクロセル基地局装置２０から通知され、ＣＳＧ情報記憶部１３２が保持しているＣＳＧ情報に、ハンドオーバーの対象としてＣＳＧセルＢの情報が含まれているかどうかを確認する。移動局装置１０のＣＳＧ情報記憶部１３２が保持しているＣＳＧ情報に、ＣＳＧセルＢの情報が含まれている場合は、移動局装置１０は、マクロセル基地局装置２０から小型基地局装置３０にハンドオーバーを行う（Ｈａ１）。
【００３５】
このとき、マクロセル基地局装置２０のハンドオーバー頻度検出部２３２は、移動局装置１０が小型基地局装置３０にハンドオーバーしたことを知り、１回目のハンドオーバーが発生したことを数え、タイマーＡの動作を開始する。
次に、ある一定の時間内に、移動局装置１０が移動して、小型基地局装置３０のサービス範囲から出てきて、再びマクロセルＡのマクロセル基地局装置２０にハンドオーバーした場合には（Ｈａ２）、マクロセル基地局装置２０のハンドオーバー頻度検出部２３２は、移動局装置１０が２回目のハンドオーバーが発生したことを認識する。
移動局装置１０が、再び移動して、ＣＳＧセルＢの小型基地局装置２０に３回目のハンドオーバーをする（Ｈａ３）。
さらに移動局装置１０が、小型基地局装置２０のサービス範囲外に出てきて４回目のハンドオーバーを行う（Ｈａ４）。このように移動局装置１０が、小型基地局装置３０がサービスを提供するＣＳＧセルＢの範囲を、入ったり出たりを繰り返すと、ハンドオーバーが連続して行われる。
【００３６】
ここで、マクロセル基地局装置２０のハンドオーバー判定部２３３が、タイマーＡの動作中に、移動局装置１０がハンドオーバーを繰り返す状況であると判断すると、ＣＳＧ情報通知部２３５は、今までのＣＳＧセルＢの情報を含んでいたＣＳＧ情報に代わり、ＣＳＧセルＢの情報を削除した新たなＣＳＧ情報を移動局装置１０に通知する（Ｈａ５）。ここで通知されるＣＳＧ情報は、図３の新たなＣＳＧ情報の通知Ｘに相当し、移動局装置１０宛ての個別信号として移動局装置１０だけに通知されるようにしてもよいし、マクロセルＡ内に存在する移動局装置向けの共通信号として、複数の移動局装置に通知されるようにしてもよい。
【００３７】
マクロセル基地局装置２０では、ＣＳＧ情報を通知すると、タイマーＡの動作は止まり、新たにＣＳＧ情報キャンセル部２３４のタイマーＢがスタートする。なお、タイマーＢについては、後述する。
移動局装置１０は、ＣＳＧセルＢの情報を含まない新たなＣＳＧ情報を受信し、移動局装置１０のＣＳＧ情報記憶部１３２が記憶するＣＳＧ情報を更新する。次に、移動局装置１０が、ＣＳＧセルＢ内に移動し、周辺をサーチして小型基地局装置３０を見つけても、ハンドオーバー先選択部１３３は、移動局装置１０のＣＳＧ情報記憶部１３２が記憶するＣＳＧ情報には、ＣＳＧセルＢの情報がないため、小型基地局装置３０へのハンドオーバー動作を行わず、そのままマクロセル基地局装置２０に接続した状態となる。
【００３８】
具体的なＣＳＧ情報を記載すると、ハンドオーバー（Ｈａ１）を行う前に、移動局装置１０のＣＳＧ情報記憶部１３２は、ＣＳＧ情報として、
（ＣＳＧ＿ｂ、ＣＳＧ＿ｃ、ＣＳＧ＿ｄ・・・・・・）
の情報を保持している。ハンドオーバーが４回起きた後に通知された（Ｈａ５）新たなＣＳＧ情報の通知Ｘは
（ＣＳＧ＿ｃ、ＣＳＧ＿ｄ・・・・・・）
となり、ＣＳＧ＿ｂが削除されている。移動局装置１０は、このＣＳＧ情報を受信し、ＣＳＧ情報記憶部１３２が記憶する従来のＣＳＧ情報を更新して、ＣＳＧ情報記憶部１３２は、その新たなＣＳＧ情報を保持するようになる。このように、新たなＣＳＧ情報の通知Ｘには、ハンドオーバーの対象となるＣＳＧセルＢの情報がないため、ハンドオーバー先選択部１３３は、小型基地局装置３０をハンドオーバー先として選択しなくなる。
【００３９】
この制御によって、移動局装置１０は、マクロセル基地局装置２０とＣＳＧセルＢ用の小型基地局装置３０の間での、連続したハンドオーバーの動作が制限されることになる。
以上のように、マクロセル基地局装置２０と、移動局装置１０が通信中に、一定の時間つまりタイマーＡが動作しているときに、ハンドオーバーの回数を数え、そのハンドオーバー回数が規定回数を超えるような場合は、マクロセル基地局装置２０から通知するＣＳＧ情報の中から、ハンドオーバー先の対象となるＣＳＧセルの情報を削除するので、該ＣＳＧ情報に基づきハンドオーバー先を選択する移動局装置１０は、該ＣＳＧセルについてモニター動作を行なわなくなり、移動局装置１０における処理負荷の増大を抑制しつつ、移動局装置１０のハンドオーバーを抑えることができる。
【００４０】
本実施形態では、ハンドオーバーの規定回数を４回として設定し、４回目のハンドオーバーが発生した後に、ハンドオーバーの対象となるＣＳＧセルＢの情報を削除したが、そのハンドオーバーの規定回数は、マクロセル内の携帯端末の数や、マクロセル内のＣＳＧセル数などによって変えても良い。例えば、マクロセル内の移動局装置１０の数が少ない場合は、マクロセル基地局装置２０は、移動局装置１０の管理に必要な制御処理が少なくて済み、ハンドオーバーが発生しても、通信網の負荷が軽いことが予想されるため、そのハンドオーバーの規定回数を増やすことができる。一方、マクロセル内の移動局装置１０の数が多い場合は、ハンドオーバーを繰り返す移動局装置が多くなる可能性があり、ハンドオーバー処理に多くの制御工数を取られるので、通信網の負荷を軽減するために、ハンドオーバーの規定回数を少なく設定する。
【００４１】
上述の図３において、ＣＳＧセルＢの情報を削除したＣＳＧ情報を通知して（Ｈａ５）、ハンドオーバーを制限するようにしたが、次に、ハンドオーバーを制限してから、ある一定時間経過した後に、ＣＳＧセルＢの情報を含むように、ＣＳＧ情報を元に戻して、移動局装置１０に通知することについて説明する。
新たなＣＳＧ情報に更新したことで、ハンドオーバーを繰り返すような動作が止まった移動局装置１０は、マクロセル基地局装置２０と通信を行っている。そして、マクロセル基地局装置２０のＣＳＧ情報キャンセル部２３４では、タイマーＢが、動作している。
【００４２】
ここでタイマーＢが、規定時間ＴＢに達したとき、マクロセル基地局装置２０のＣＳＧ情報キャンセル部２３４は、通知Ｘで除かれていたＣＳＧセルＢの情報を含んだＣＳＧ情報を生成し、ＣＳＧ情報通知部２３５に、移動局装置２０に向けて通知させる（Ｈａ６）。すなわち、復旧のためのＣＳＧ情報の通知Ｙを行なう。移動局装置１０は、新たなＣＳＧ情報を受信し、その制御部１３０は、ＣＳＧ情報記憶部１３２が保持しているＣＳＧ情報を、受信したＣＳＧ情報で更新する。
【００４３】
ＣＳＧセルＢのサービス範囲にあって、ＣＳＧセルＢの情報を含む新たなＣＳＧ情報を受信した通信中の移動局装置１０は、そのハンドオーバー先の対象として、ＣＳＧセルＢ（小型基地局装置３０）の情報を持つので、マクロセル基地局装置２０から小型基地局装置３０へのハンドオーバーの動作（Ｈａ７）を行うことが可能となる。このように、マクロセル基地局装置２０は、移動局装置１０が持つＣＳＧセルに関する情報を、削除したり、追加したりして、移動局装置１０のハンドオーバーの動作を制御する。
上記のＣＳＧ情報を元に戻す規定時間ＴＢつまりタイマーＢの動作時間は、３分や５分程度の時間であり、マクロセルやネットワークに依存し、マクロセルの状況によってＣＳＧ情報を復元するまでの時間は変化することもある。
【００４４】
図４は、本実施形態におけるマクロセル基地局装置２０の動作を説明するフローチャートである。まず、マクロセル基地局装置２０のハンドオーバー処理部２３１は、ＣＳＧセルとマクロセルとの間で移動局装置１０のハンドオーバーが発生するまで待ち（Ｓ１−Ｎｏ）、発生すると（Ｓ１−Ｙｅｓ）、ハンドオーバー頻度検出部２３２に、タイマーＡをスタートさせる（Ｓ３）。マクロセル基地局装置２０のハンドオーバー頻度検出部２３２は、移動局装置１０のハンドオーバー回数Ｎをカウントする（Ｓ４）。ハンドオーバー判定部２３３は、ハンドオーバー回数Ｎが予め決められた閾値である規定回数を超えたか否かを判定する（Ｓ５）。超えていないと判定したときは（Ｓ５−Ｎｏ）、ハンドオーバー頻度検出部２３２は、タイマーＡのカウント時間が、予め決められた規定時間ＴＡを超えたか否かを判定する（Ｓ６）。超えたと判定したときは（Ｓ６−Ｙｅｓ）、ハンドオーバー頻度検出部２３２はタイマーＡを終了し、ステップＳ１に戻る。
【００４５】
また、ステップＳ５にて、超えていると判定したときは（Ｓ５−Ｙｅｓ）、ＣＳＧ情報通知部２３５は、ＣＳＧ情報から、移動局装置１０のハンドオーバー先である小型基地局装置３０の情報を削除し、移動局装置１０に、無線送信部２２０を介して通知する（Ｓ８）。次に、ハンドオーバー頻度検出部２３２は、タイマーＡを終了させ、ＣＳＧ情報キャンセル部２３４が、タイマーＢをスタートさせる（Ｓ９）。移動局装置１０は、小型基地局装置３０の情報が削除されたＣＳＧ情報をＣＳＧ情報記憶部１３２に記憶しており、該ＣＳＧ情報に基づき、ハンドオーバー先を選択する。このため、移動局装置１０において、ハンドオーバーの発生が止まり、移動局装置１０は、マクロセルＡのマクロセル基地局装置２０への接続を維持し続ける（Ｓ１０）。
【００４６】
時間が経過して、タイマーＢのカウント時間が、予め決められた規定時間ＴＢとなると、タイマーＢは終了する（Ｓ１１）。ＣＳＧ情報キャンセル部２３４は、ステップＳ８で小型基地局装置３０の情報を削除したＣＳＧ情報を元に戻して、ＣＳＧ情報通知部２３５に移動局装置１０へ通知させて、ステップＳ１に戻る。
【００４７】
［第２の実施形態］
第１の実施形態においては、ハンドオーバーの回数をマクロセル基地局装置２０で測定したが、第２の実施形態では、ＣＳＧセル小型基地局装置３０ａでハンドオーバーの回数を数え、バックホール（backhaul）回線などのネットワーク４０を利用して、マクロセル基地局装置２０ａにハンドオーバーの回数情報を通知し、マクロセル基地局装置２０ａから通知するＣＳＧ情報に反映させる。なお、ＣＳＧセルの小型基地局装置３０ａは、ハンドオーバー回数を測定する時間をカウントするタイマーＣを持つ。図５は、本実施形態における無線通信システム１ａにおけるセルの配置状況を示す図である。このように、本実施形態では、マクロセル基地局装置２０ａのセルであるマクロセルＡの一部の領域を、小型基地局装置３０ａのセルであるＣＳＧセルＢとしている。
【００４８】
図６は、本実施形態における無線通信システム１ａの構成を示す概略ブロック図である。無線通信システム１ａは、移動局装置１０、マクロセル基地局装置２０ａ、小型基地局装置３０ａを備える。移動局装置１０は、図２と同様に、無線受信部１１０、受信アンテナ１１１、無線送信部１２０、送信アンテナ１２１、制御部１３０を備える。制御部１３０は、受信品質測定部１３１、ＣＳＧ情報記憶部１３２、ハンドオーバー先選択部１３３を備える。
【００４９】
マクロセル基地局装置２０ａは、無線受信部２１０、受信アンテナ２１１、無線送信部２２０、送信アンテナ２２１、制御部２３０ａ、ネットワーク通信部２４０を備える。制御部２３０ａは、ハンドオーバー処理部２３１、ＣＳＧ情報キャンセル部２３４、ＣＳＧ情報通知部２３５を備える。小型基地局装置３０aは、無線受信部３１０、受信アンテナ３１１、無線送信部３２０、送信アンテナ３２１、制御部３３０ａ、ネットワーク通信部３４０を備える。制御部３３０ａは、ハンドオーバー処理部３３１、ハンドオーバー頻度検出部３３２ａ、ハンドオーバー判定部３３３ａを備える。
【００５０】
同図において図２の各部に対応する部分には同一の符号（１０、１１０〜１３３、２１０〜２２１、２３４〜２４０）を付け、その説明を省略する。ハンドオーバー頻度検出部３３２ａは、移動局装置１０と小型基地局装置３０ａとの通信状態を検出する本実施形態における通信状態検出部である。本実施形態では、ハンドオーバー頻度検出部３３２ａは、ハンドオーバー処理部３３１が行なう移動局装置１０に係るハンドオーバーの回数を、最初のハンドオーバーからタイマーＣが終了するまでの間（時間ＴＣ）、カウントすることで、移動局装置１０がハンドオーバーを行なう頻度を検出する。ハンドオーバー判定部３３３ａは、ハンドオーバー頻度検出部３３２ａの検出結果に基づき、移動局装置１０がハンドオーバー可能か否かを判定する。具体的には、ハンドオーバー判定部３３３ａは、ハンドオーバー頻度検出部３３２ａがハンドオーバーを検出する度に、タイマーＣを開始してからの検出した回数を予め設定された閾値（規定回数）と比較し、該閾値を超えたときは、ハンドオーバー不可と判定する。
【００５１】
図７は、本実施形態におけるマクロセルＡとＣＳＧセルＢとの間を移動局装置１０が移動しているときの在圏状況の例を示す図である。移動局装置１０が、マクロセル基地局装置２０ａと通信中に、ＣＳＧセルＢのサービス範囲に移動したとき、移動局装置１０が保持しているＣＳＧ情報に、そのＣＳＧセルＢの情報が含まれている場合には、そのＣＳＧセルＢ用の小型基地局装置３０ａにハンドオーバーする（Ｈｂ１）。このとき、小型基地局装置２０ａのハンドオーバー頻度検出部３３２ａは、ＣＳＧセルＢ以外のサービス範囲からＣＳＧセルＢ用の小型基地局装置３０ａにハンドオーバーしたことを認識し、タイマーＣをスタートし、ハンドオーバー回数を１回と数える。
【００５２】
次に、移動局装置１０が移動して、ＣＳＧセルＢの小型基地局装置３０ａのサービス範囲外（マクロセルＡ）に出た場合には、マクロセル基地局装置２０ａにハンドオーバーする（Ｈｂ２）。小型基地局装置２０ａのハンドオーバー頻度検出部３３２ａは、２回目のハンドオーバーを行った事を認識する。再度、移動局装置１０がＣＳＧセルＢの小型基地局装置２０ａのサービス範囲内に移動し、小型基地局装置２０ａにハンドオーバーを行うと（Ｈｂ３）、３回目のハンドオーバーを行ったことを認識する。このときに、小型基地局装置２０ａのハンドオーバー判定部３３０ａが、移動局装置１０のハンドオーバーの回数が規定回数（３回）に達し、移動局装置１０は移動しているなどの理由で、タイマーＣの動作中に、頻繁にハンドオーバーを繰り返していると判断する。すると、ハンドオーバー判定部３３０ａは、ネットワーク通信部３４０およびバックホール回線などのネットワーク４０を利用して、マクロセル基地局装置２０ａに、ハンドオーバーの一定時間内の規定回数に達した情報を示すハンドオーバー回数情報通知Ｚを通知する（Ｈｂ４）。このとき、ハンドオーバー頻度検出部３３２ａのタイマーＣは、ハンドオーバー判定部３３３ａがハンドオーバー回数情報の通知Ｚを通知することで動作が止まる。
【００５３】
マクロセルの基地局装置２０ａは、小型基地局装置３０ａから、バックホール回線などのネットワーク４０を利用して、ハンドオーバーの規定回数を超えたことを示す通知Ｚを受信すると、そのＣＳＧ情報通知部２３５は、無線送信部２２０を介して移動局装置１０にＣＳＧセルＢを含まない新たなＣＳＧ情報を通知する準備を行う。
次にもし、移動局装置１０が、マクロセル基地局装置２０ａに４回目のハンドオーバーをすると（Ｈｂ５）、マクロセル基地局装置２０ａのＣＳＧ情報通知部２３５は、無線送信部２２０を介して、移動局装置１０に、ＣＳＧセルＢの情報を含まない新たなＣＳＧ情報の通知Ｘの送信を実施する（Ｈｂ６）。ここで、ＣＳＧ情報通知部２３５が新たなＣＳＧ情報の通知Ｘの送信を行うと、ＣＳＧ情報キャンセル部２３４のタイマーＢが、動作を開始する。
【００５４】
移動局装置１０は、新たなＣＳＧ情報の通知Ｘを受信すると、その制御部１３０は、ＣＳＧ情報記憶部１３２が保持しているＣＳＧ情報を更新する。たとえ、移動局装置１０が、次にＣＳＧセルＢのサービス範囲に移動し、ハンドオーバーを行おうとしても、ＣＳＧ情報記憶部１３２が保持しているＣＳＧ情報に、そのハンドオーバーの対象となるＣＳＧセルＢの情報が含まれていないので、ＣＳＧセルＢの小型基地局装置３０ａには、ハンドオーバーできずに、そのままマクロセル基地局装置２０ａに接続した状態を維持する。それによって、一定時間内に頻繁にハンドオーバーの動作が起こることはなく、マクロセル基地局装置２０ａとの接続を維持することができる。なお、第１の実施形態と同様に、マクロセル基地局装置２０ａは、タイマーＢの規定時間ＴＢを経過した後に、削除したＣＳＧセルＢの情報をＣＳＧ情報に含むように元に戻し、復旧のためのＣＳＧ情報の通知Ｙとして、移動局装置１０に通知する（Ｈｂ７）。
【００５５】
本実施形態では、ハンドオーバー回数情報の通知Ｚを、小型基地局装置３０ａから、バックホール回線などのネットワーク４０を利用してマクロセル基地局装置２０ａに通知したが、マクロセル基地局装置２０ａへの通知手段はネットワーク４０に限らず、直接小型基地局装置からマクロセル基地局装置２０ａに向けて無線などを利用して通知しても良い。
【００５６】
図８は、本実施形態におけるマクロセル基地局装置２０ａ、小型基地局装置３０ａの動作を説明するフローチャートである。同図において、図４の各部に対応する部分には同一の符号（Ｓ８〜Ｓ１２）を付ける。まず、小型基地局装置３０ａのハンドオーバー処理部３３１は、ＣＳＧセルとマクロセルとの間で移動局装置１０のハンドオーバーが発生するまで待ち（Ｓａ１−Ｎｏ）、発生すると（Ｓａ１−Ｙｅｓ）、ハンドオーバー頻度検出部３３２ａに、タイマーＣをスタートさせる（Ｓａ３）。ＣＳＧセルの小型基地局装置３０ａのハンドオーバー頻度検出部３３２ａは、移動局装置１０のハンドオーバー回数Ｎをカウントする（Ｓａ４）。ハンドオーバー判定部３３３ａは、ハンドオーバー回数Ｎが予め決められた閾値である規定回数を超えたか否かを判定する（Ｓａ５）。超えていないと判定したときは（Ｓａ５−Ｎｏ）、ハンドオーバー頻度検出部３３２ａは、タイマーＣのカウント時間が、予め決められた規定時間ＴＣを超えたか否かを判定する（Ｓａ６）。超えたと判定したときは（Ｓａ６−Ｙｅｓ）、ハンドオーバー頻度検出部３３２ａはタイマーＣを終了し、ステップＳａ１に戻る。
【００５７】
また、ステップＳａ５にて、超えていると判定したときは（Ｓａ５−Ｙｅｓ）、判定結果をマクロセル基地局装置２０ａにネットワーク４０を介して通知する（Ｓａ１３）とともに、タイマーＣを終了する。この通知を受けた、マクロセル基地局装置２０ａのＣＳＧ情報通知部２３５は、ＣＳＧ情報から、該通知元の小型基地局装置３０の情報を削除し、移動局装置１０に、無線送信部２２０を介して通知する（Ｓ８）。次に、ＣＳＧ情報キャンセル部２３４が、タイマーＢをスタートさせる（Ｓ９）。移動局装置１０は、小型基地局装置３０の情報が削除されたＣＳＧ情報をＣＳＧ情報記憶部１３２に記憶しており、該ＣＳＧ情報に基づき、ハンドオーバー先を選択する。このため、移動局装置１０において、ハンドオーバーの発生が止まり、移動局装置１０は、マクロセルＡのマクロセル基地局装置２０への接続を維持し続ける（Ｓ１０）。
【００５８】
時間が経過して、タイマーＢのカウント時間が、予め決められた規定時間ＴＢとなると、タイマーＢは終了する（Ｓ１１）。ＣＳＧ情報キャンセル部２３４は、ステップＳ８で小型基地局装置３０の情報を削除したＣＳＧ情報を元に戻して、ＣＳＧ情報通知部２３５に移動局装置１０へ通知させて、ステップＳａ１に戻る。
【００５９】
［第３の実施形態］
第３の実施形態では、移動局装置１０が、マクロセル基地局装置２０ａと、そのマクロセル内に配置されるＣＳＧセル（Closed Subscriber Group）用の小型基地局装置３０ｂの間で、ハンドオーバーを行う場合に、ＣＳＧセルの小型基地局装置３０ｂが測定した受信レベルを、バックホール回線などのネットワーク４０を利用して、マクロセル基地局装置２０ａに受信レベル情報として通知し、マクロセル基地局装置２０ａから通知するＣＳＧ情報に反映させる。
【００６０】
図９は、本実施形態における無線通信システム１ｂの構成を示す概略ブロック図である。無線通信システム１ｂは、移動局装置１０、マクロセル基地局装置２０ａ、小型基地局装置３０ｂを備える。移動局装置１０は、図２、図６と同様に、無線受信部１１０、受信アンテナ１１１、無線送信部１２０、送信アンテナ１２１、制御部１３０を備える。制御部１３０は、受信品質測定部１３１、ＣＳＧ情報記憶部１３２、ハンドオーバー先選択部１３３を備える。マクロセル基地局装置２０ａは、無線受信部２１０、受信アンテナ２１１、無線送信部２２０、送信アンテナ２２１、制御部２３０ａを備える。制御部２３０ａは、ハンドオーバー処理部２３１、ＣＳＧ情報キャンセル部２３４、ＣＳＧ情報通知部２３５を備える。
【００６１】
小型基地局装置３０ｂは、無線受信部３１０、受信アンテナ３１１、無線送信部３２０、送信アンテナ３２１、制御部３３０ｂ、ネットワーク通信部３４０を備える。また、制御部３３０ｂは、ハンドオーバー処理部３３１、受信レベル測定部３３２ｂ、ハンドオーバー判定部３３３ｂを備える。同図において図２、図６の各部に対応する部分には同一の符号（１０、２０ａ、４０、１１０〜１３３、２１０〜２４０、３１０〜３２１、３３１、３４０）を付け、その説明を省略する。
【００６２】
受信レベル測定部３３２ｂ（通信状態検出部）は、移動局装置１０が送信した信号の受信レベルを測定する。ハンドオーバー判定部３３３ｂは、受信レベル測定部３３２ｂの測定結果に基づき、移動局装置１０がハンドオーバー可能か否かを判定する。具体的には、ハンドオーバー判定部３３３ｂは、受信レベル測定部３３２ｂが測定した受信レベルと、予め決められた閾値とを比較し、測定した受信レベルが閾値を下回っているときには、ハンドオーバー不可と判定し、判定結果をネットワーク通信部３４０、ネットワーク４０を介して、マクロセル基地局装置２０ａに送信する。
【００６３】
図１０は、本実施形態におけるマクロセルＡとＣＳＧセルＢとの間を移動局装置１０が移動しているときの在圏状況の例を示す図である。移動局装置１０が、マクロセル基地局装置２０ａと通信中に、ＣＳＧセルＢのサービス範囲に移動したとき、移動局装置１０のＣＳＧ情報記憶部１３２が保持しているＣＳＧ情報に、ハンドオーバーの対象として、そのＣＳＧセルＢの情報が含まれている場合には、そのＣＳＧセルＢ用の小型基地局装置３０ｂにハンドオーバーを行う（Ｈｃ１）。次に、ＣＳＧセルＢの小型基地局装置３０ｂと移動局装置１０が通信を行っている時に、小型基地局装置３０ｂの受信レベル測定部３３２ｂは、移動局装置１０からの信号の受信レベル測定Ｍを実施する（Ｈｃ２）。
【００６４】
この受信レベル測定を行った結果を受けて、ハンドオーバー判定部３３３ｂは、予め決められた閾値よりも受信レベルが悪いと判断した場合に、ネットワーク通信部３４０を介して、バックホール回線などのネットワーク４０を利用して、マクロセル基地局装置２０ａに、受信レベル情報を示す通知Ｖを送信する（Ｈｃ３）。マクロセル基地局装置２０ａのＣＳＧ情報通知部２３５は、ネットワーク通信部２４０を介して、ＣＳＧセルＢの小型基地局装置３０ｂからの受信レベルの通知Ｖを受信し、移動局装置１０に向けたＣＳＧセルＢを含まないＣＳＧ情報を通知する準備を行う。
【００６５】
移動局装置１０は、小型基地局装置３０ｂとの通信が良くない状況なので、そのまま通信を継続していれば、マクロセル基地局装置２０ａへのハンドオーバーを行う確率が高くなる。実際にハンドオーバーが行われる（Ｈｃ４）と、マクロセル基地局装置２０ａは、小型基地局装置３０ｂからの受信レベル情報に基づき準備していたＣＳＧセルＢの情報を含まないＣＳＧ情報を、新たなＣＳＧ情報の通知Ｘとして、移動局装置１０に送信する（Ｈｃ５）。このとき、マクロセル基地局装置２０ａのＣＳＧ情報キャンセル部２３４のタイマーＢが動作を開始する。
【００６６】
移動局装置１０は、ＣＳＧセルＢの情報が削除されたＣＳＧ情報を受信し、その制御部１３０は、ＣＳＧ情報記憶部１３２が保持しているＣＳＧ情報を更新する。たとえ、次にＣＳＧセルＢのサービス範囲に移動し、ハンドオーバーを行おうとしても、移動局装置１０のＣＳＧ情報記憶部１３２が保持しているＣＳＧ情報に、そのハンドオーバーの対象となるＣＳＧセルＢの情報が含まれていないので、ＣＳＧセルＢの小型基地局装置３０ｂには、ハンドオーバーせずに、移動局装置１０は、そのままマクロセル基地局装置２０ａに接続した状態を維持する。以上の動作によって、ＣＳＧセル用の小型基地局装置３０ｂにハンドオーバーして、受信レベルが悪いため、すぐにマクロセル基地局装置２０ａにハンドオーバーして戻ってくる動作を抑制することができる。
【００６７】
受信レベルが、予め決められた閾値よりも良ければ、移動局装置１０は、そのままＣＳＧセルＢの小型基地局装置３０ｂと通信を継続することになり、ハンドオーバーの動作が行われる可能性は低いので、本実施形態では、小型基地局装置３０ｂからマクロセル基地局装置２０ａに、受信レベル情報を通知しない。
このように、受信レベルが予め決められた閾値よりも悪い時だけ、小型基地局装置３０ｂからマクロセル基地局装置２０ａに、ＣＳＧ情報を更新することを目的とする受信レベル通知Ｖを通知することになる。
【００６８】
ここでいう小型基地局装置３０ｂの受信レベル測定部３３２ｂが測定する受信レベルとは、ＳＮＲ（Signal to Noise power Ratio；信号対ノイズ比）であってもよいし、誤り率、受信電界強度などであってもよい。
なお、本実施形態においても、第１の実施形態と同様に、タイマーＢの規定時間ＴＢを経過した後に、マクロセル基地局装置２０ａのＣＳＧ情報キャンセル部２３４が、ＣＳＧセルＢの情報を含むように元に戻したＣＳＧ情報を、ＣＳＧ情報通知部２３５に、移動局装置１０に向けて送信させる（Ｈｃ６）。すなわち、復旧のためのＣＳＧ情報の通知Ｙを行なう。
【００６９】
図１１は、本実施形態におけるマクロセル基地局装置２０ａと小型基地局装置３０ｂの動作を説明するフローチャートである。同図において、図４の各部に対応する部分には同一の符号（Ｓ８、Ｓ１０〜Ｓ１２）を付ける。まず、小型基地局装置３０ｂのハンドオーバー処理部３３１は、ＣＳＧセルとマクロセルとの間で移動局装置１０のハンドオーバーが発生するまで待ち（Ｓｂ１−Ｎｏ）、発生すると（Ｓｂ１−Ｙｅｓ）、ＣＳＧセルの小型基地局装置３０ｂの受信レベル測定部３３２ｂが、移動局装置１０からの信号の受信レベルを測定する（Ｓｂ３）。ハンドオーバー判定部３３３ｂは、測定した受信レベルが予め決められた閾値を超えたか否かを判定する（Ｓｂ４）。受信レベルが閾値を超えたと判定したときは（Ｓｂ４−Ｙｅｓ）、ステップＳｂ１に戻る。
【００７０】
また、ステップＳｂ４にて、受信レベルが閾値を超えていないと判定したときは（Ｓｂ４−Ｎｏ）、判定結果をマクロセル基地局装置２０ａにネットワーク４０を介して通知する（Ｓｂ５）。この通知を受けた、マクロセル基地局装置２０ａのＣＳＧ情報通知部２３５は、ＣＳＧ情報から、移動局装置１０のハンドオーバー先である小型基地局装置３０ｂの情報を削除し、移動局装置１０に、無線送信部２２０を介して通知する（Ｓ８）。次に、ＣＳＧ情報キャンセル部２３４が、タイマーＢをスタートさせる（Ｓｂ９）。移動局装置１０は、小型基地局装置３０ｂの情報が削除されたＣＳＧ情報をＣＳＧ情報記憶部１３２に記憶しており、該ＣＳＧ情報に基づき、ハンドオーバー先を選択する。このため、移動局装置１０において、ハンドオーバーの発生が止まり、移動局装置１０は、マクロセルＡのマクロセル基地局装置２０ａへの接続を維持し続ける（Ｓ１０）。
【００７１】
時間が経過して、タイマーＢのカウント時間が、予め決められた規定時間ＴＢとなると、タイマーＢは終了する（Ｓ１１）。ＣＳＧ情報キャンセル部２３４は、ステップＳ８で小型基地局装置３０ｂの情報を削除したＣＳＧ情報を元に戻して、ＣＳＧ情報通知部２３５に移動局装置１０へ通知させて、ステップＳｂ１に戻る。
【００７２】
［第４の実施形態］
第４の実施形態では、移動局装置が、マクロセル基地局装置と、そのマクロセル内に配置されるＣＳＧセル用の小型基地局装置の間で、ハンドオーバーを行う場合に、移動局装置の送信電力レベルに応じて、マクロセル基地局装置から移動局装置に通知されるＣＳＧ情報を制御する例を説明する。
【００７３】
図１２は、本実施形態における無線通信システム１ｃの構成を示す概略ブロック図である。無線通信システム１ｃは、移動局装置１０、マクロセル基地局装置２０ａ、小型基地局装置３０ｃを備える。移動局装置１０は、図２、図６と同様に、無線受信部１１０、受信アンテナ１１１、無線送信部１２０、送信アンテナ１２１、制御部１３０を備える。制御部１３０は、受信品質測定部１３１、ＣＳＧ情報記憶部１３２、ハンドオーバー先選択部１３３を備える。
【００７４】
マクロセル基地局装置２０ａは、図６と同様に、無線受信部２１０、受信アンテナ２１１、無線送信部２２０、送信アンテナ２２１、制御部２３０ａ、ネットワーク通信部２４０を備える。制御部２３０ａは、ハンドオーバー処理部２３１、ＣＳＧ情報キャンセル部２３４、ＣＳＧ情報通知部２３５を備える。小型基地局装置３０ｃは、無線受信部３１０、受信アンテナ３１１、無線送信部３２０、送信アンテナ３２１、制御部３３０ｃ、ネットワーク通信部３４０を備える。制御部３３０ｃは、ハンドオーバー処理部３３１、送信電力検出部３３２ｃ、ハンドオーバー判定部３３３ｃを備える。
【００７５】
同図において図６の各部に対応する部分には同一の符号（１０、１１０〜１３３、２０ａ、２１０〜２２１、２３０ａ、２３１〜２３５、２４０、３１０〜３２１、３３１、３４０）を付け、その説明を省略する。送信電力検出部３３２ｃ（通信状態検出部）は、小型基地局装置３０ｃから移動局装置１０への電力制御コマンドから、移動局装置１０が信号を送信する際の送信電力を検出する。ハンドオーバー判定部３３３ｃは、送信電力検出部３３２ｃの検出結果に基づき、移動局装置１０がハンドオーバー可能か否かを判定する。具体的には、ハンドオーバー判定部３３３ｃは、送信電力検出部３３２ｃが検出した送信電力レベルと、予め決められた閾値とを比較し、検出した送信電力レベルが閾値を下回っているときには、ハンドオーバー不可と判定し、判定結果をネットワーク通信部３４０、ネットワーク４０を介して、マクロセル基地局装置２０ａに送信する。
【００７６】
図１３は、本実施形態におけるマクロセルＡとＣＳＧセルＢとの間を移動局装置１０が移動しているときの在圏状況の例を示す図である。移動局装置１０が、マクロセルＡのマクロセル基地局装置２０ａと通信中に、ＣＳＧセルＢのサービス範囲に移動したとき、移動局装置１０が保持しているＣＳＧ情報に、そのＣＳＧセルＢの情報が含まれている場合には、そのＣＳＧセルＢの小型基地局装置３０ｃにハンドオーバーを行う（Ｈｄ１）。次に、移動局装置１０と小型基地局装置３０ｃとが通信を行っているときに、小型基地局装置３０ｃの送信電力検出部３３２ｃは、移動局装置１０の送信電力を監視する。
【００７７】
ここで、小型基地局装置３０ｃのハンドオーバー判定部３３３ｃは、移動局装置１０の送信電力が予め決められた閾値よりも大きいと判断した場合に、移動局装置１０がマクロセル基地局装置２０ａへハンドオーバーする可能性があると判定する。そして、バックホール回線などのネットワーク４０を利用して、マクロセル基地局装置２０ａに、移動局装置１０の送信電力を示す送信レベルの通知Ｗを送信する（Ｈｄ２）。
マクロセル基地局装置２０ａは、小型基地局装置３０ｃから、バックホール回線などのネットワーク４０を利用して、送信電力レベル情報Ｗを受信する。マクロセル基地局装置２０ａは、送信電力レベル情報Ｗを受信すると、移動局装置１０と小型基地局装置３０ｃとの通信状況が良くないため、ハンドオーバー動作が行われる可能性が高いと判定し、移動局装置１０に向け、ＣＳＧセルＢを含まないＣＳＧ情報を通知する準備を行う。
【００７８】
移動局装置１０の送信電力が大きいということは、ＣＳＧセルＢの小型基地局装置３０ｃとの距離が離れているか、電波環境が良くない状況なので、そのまま通信を継続していれば、マクロセルＡのマクロセル基地局装置２０ａへのハンドオーバーを行う確率が高い。実際に、ハンドオーバーが行われる（Ｈｄ３）と、マクロセル基地局装置２０ａは、小型基地局装置３０ｃからの送信電力レベル情報Ｗに基づき、準備していたＣＳＧセルＢの情報を含まないＣＳＧ情報を、移動局装置１０に通知する（Ｈｄ４）。なお、通知されるＣＳＧ情報は、図１３の新たなＣＳＧ情報の通知Ｘに相当する。ここで、マクロセル基地局装置２０ａのタイマーＢが動作を開始する。
【００７９】
移動局装置１０は、ＣＳＧセルＢの情報が削除されたＣＳＧ情報を受信し、ＣＳＧ情報記憶部１３２に保持しているＣＳＧ情報を更新する。たとえ、次にＣＳＧセルＢのサービス範囲に移動し、ハンドオーバーを行おうとしても、ＣＳＧ情報記憶部１３３２が保持しているＣＳＧ情報に、そのハンドオーバーの対象となるＣＳＧセルＢの情報が含まれていないので、ＣＳＧセルＢの小型基地局装置３０ｃには、ハンドオーバーせずに、そのままマクロセルＡのマクロセル基地局装置２０ａに接続した状態を維持する。それによって、ＣＳＧセル用の小型基地局装置３０ｃにハンドオーバーして、電波環境が悪いため、すぐにマクロセル基地局装置２０ａにハンドオーバーして戻ってくる動作を抑制することができる。
【００８０】
小型基地局装置３０ｃと通信中の移動局装置１０の送信電力レベルが、予め決められた閾値よりも小さければ、小型基地局装置３０ｃとの距離が近いので、そのままＣＳＧセルＢの小型基地局装置３０ｃと通信を継続することになり、ハンドオーバーの動作が行われる可能性は低いので、小型基地局装置３０ｃからマクロセル基地局装置２０ａに、送信電力レベル情報Ｗを通知しない。
このように、送信電力レベルが予め決められた閾値よりも大きいときだけ、ＣＳＧセルＢの小型基地局装置３０ｃからマクロセルＡのマクロセル基地局装置２０ａに、ＣＳＧ情報を更新することを目的とする送信電力レベル通知Ｗを通知することになる。
【００８１】
なお、本実施形態においても、第１の実施形態と同様に、タイマーＢの規定時間ＴＢを経過した後に、マクロセル基地局装置２０ａのＣＳＧ情報キャンセル部２３４が、ＣＳＧセルＢの情報を含むように元に戻したＣＳＧ情報を、ＣＳＧ情報通知部２３５に、移動局装置１０へ通知させる（Ｈｄ６）。すなわち、復旧のためのＣＳＧ情報の通知Ｙを行なう。
【００８２】
図１４は、本実施形態におけるマクロセル基地局装置２０ａと小型基地局装置３０ｃの動作を説明するフローチャートである。同図において、図４の各部に対応する部分には同一の符号（Ｓ８、Ｓ１０〜Ｓ１２）を付ける。まず、小型基地局装置３０ｃのハンドオーバー処理部３３１は、ＣＳＧセルとマクロセルとの間で移動局装置１０のハンドオーバーが発生するまで待ち（Ｓｃ１−Ｎｏ）、発生すると（Ｓｃ１−Ｙｅｓ）、ＣＳＧセルの小型基地局装置３０ｃの送信電力検出部３３２ｃが、移動局装置１０が信号を送信する際の送信電力（送信電力レベル）を検出する（Ｓｃ３）。ハンドオーバー判定部３３３ｃは、検出した送信電力レベルが予め決められた閾値を超えたか否かを判定する（Ｓｃ４）。送信電力レベルが閾値を超えていないと判定したときは（Ｓｃ４−Ｙｅｓ）、ステップＳｃ１に戻る。
【００８３】
また、ステップＳｃ４にて、送信電力レベルが閾値を超えていると判定したときは（Ｓｃ４−Ｎｏ）、判定結果をマクロセル基地局装置２０ａにネットワーク４０を介して通知する（Ｓｃ５）。この通知を受けた、マクロセル基地局装置２０ａのＣＳＧ情報通知部２３５は、ＣＳＧ情報から、移動局装置１０のハンドオーバー先である小型基地局装置３０ｃの情報を削除し、移動局装置１０に、無線送信部２２０を介して通知する（Ｓ８）。次に、ＣＳＧ情報キャンセル部２３４が、タイマーＢをスタートさせる（Ｓｃ９）。移動局装置１０は、小型基地局装置３０ｃの情報が削除されたＣＳＧ情報をＣＳＧ情報記憶部１３２に記憶しており、該ＣＳＧ情報に基づき、ハンドオーバー先を選択する。このため、移動局装置１０において、ハンドオーバーの発生が止まり、移動局装置１０は、マクロセルＡのマクロセル基地局装置２０ａへの接続を維持し続ける（Ｓ１０）。
【００８４】
時間が経過して、タイマーＢのカウント時間が、予め決められた規定時間ＴＢとなると、タイマーＢは終了する（Ｓ１１）。ＣＳＧ情報キャンセル部２３４は、ステップＳ８で小型基地局装置３０ｃの情報を削除したＣＳＧ情報を元に戻して、ＣＳＧ情報通知部２３５に移動局装置１０へ通知させて、ステップＳｃ１に戻る。
【００８５】
［第５の実施形態］
第５の実施形態では、マクロセルＡ内に、複数のＣＳＧセル（ＣＳＧセルＢ、ＣＳＧセルＣ）があって、そのＣＳＧセル用の小型基地局装置３０ｄ、３１ｄ間で、ハンドオーバーを繰り返す場合について説明する。図１５は、本実施形態における無線通信システム１ｄの構成を示す概略ブロック図である。無線通信システム１ｄは、移動局装置１０、マクロセル基地局装置２０、小型基地局装置３０ｄ、小型基地局装置３１ｄを備える。移動局装置１０は、図２、図６と同様に、無線受信部１１０、受信アンテナ１１１、無線送信部１２０、送信アンテナ１２１、制御部１３０を備える。制御部１３０は、受信品質測定部１３１、ＣＳＧ情報記憶部１３２、ハンドオーバー先選択部１３３を備える。
【００８６】
マクロセル基地局装置２０は、無線受信部２１０、受信アンテナ２１１、無線送信部２２０、送信アンテナ２２１、制御部２３０、ネットワーク通信部２４０を備える。制御部２３０は、図２の制御部２３０と同様に、ハンドオーバー処理部２３１、ハンドオーバー頻度検出部２３２、ハンドオーバー判定部２３３、ＣＳＧ情報キャンセル部２３４、ＣＳＧ情報通知部２３５を備えるが、ここでは図示しない。小型基地局装置３０ｄおよび小型基地局装置３１ｄは、それぞれ、無線受信部３１０、受信アンテナ３１１、無線送信部３２０、送信アンテナ３２１、制御部３３０ｄ、ネットワーク通信部３４０を備える。制御部３３０ｄは、ハンドオーバー処理部３３１、ハンドオーバー頻度検出部３３２ｄ、ハンドオーバー判定部３３３ｄ、ＣＳＧ情報キャンセル部３３４ｄ、ＣＳＧ情報通知部３３５ｄを備える。
【００８７】
同図において図２の各部に対応する部分には同一の符号（１０、１１０〜１３３、２０、２１０〜２４０、３１０〜３２１、３３１、３４０）を付け、その説明を省略する。制御部２３０ｄは、マクロセル基地局装置２０ｄの各部を制御する。ハンドオーバー頻度検出部３３２ｄは、移動局装置１０と当該小型基地局装置との通信状態を検出する本実施形態における通信状態検出部である。本実施形態では、ハンドオーバー頻度検出部３３２ｄは、ハンドオーバー処理部３３１が行なう移動局装置１０に係るハンドオーバーの回数を、最初のハンドオーバーからタイマーＣが終了するまでの間（時間ＴＣ）、カウントすることで、移動局装置１０がハンドオーバーを行なう頻度を検出する。ハンドオーバー判定部３３３ｄは、ハンドオーバー頻度検出部３３２ｄの検出結果に基づき、移動局装置１０がハンドオーバー可能か否かを判定する。具体的には、ハンドオーバー判定部３３３ｄは、ハンドオーバー頻度検出部３３２ｄがハンドオーバーを検出する度に、タイマーＣを開始してからの検出した回数を予め設定された閾値（規定回数）と比較し、該閾値を超えたときは、ハンドオーバー不可と判定する。
【００８８】
ＣＳＧ情報通知部３３５ｄ（通知部）は、ハンドオーバー判定部３３３ｄの判定結果に従い、ＣＳＧ情報を生成して移動局装置１０に通知する。すなわち、ＣＳＧ情報通知部３３５ｄは、ハンドオーバー判定部３３３ｄによる判定の結果、ハンドオーバー不可と判定された小型基地局装置を除いた小型基地局装置を示す情報のリストを含むＣＳＧ情報を生成して、無線送信部３２０を介して、移動局装置１０に送信する。
ＣＳＧ情報キャンセル部３３４ｄは、ＣＳＧ情報通知部３３５ｄがハンドオーバー判定部３３３ｄの判定結果に従い、ＣＳＧ情報を生成して通知してから、予め決められた時間（時間ＴＢ）だけ経過すると、先の判定結果に関わらず、小型基地局装置へのハンドオーバーが可能であることを示すＣＳＧ情報を生成して、ＣＳＧ情報通知部３３５ｄに通知させる。
【００８９】
図１６は、本実施形態におけるマクロセルＡとＣＳＧセルＢとＣＳＧセルＣとの間を移動局装置１０が移動しているときの在圏状況の例を示す図である。移動局装置１０が、通信中に、ＣＳＧセルＢの小型基地局装置３０ｄからＣＳＧセルＣの小型基地局装置３１ｄへのハンドオーバーが行われると（Ｈｅ１）、小型基地局装置３０ｄのハンドオーバー頻度検出部３３２ｄにあるタイマーＣが動作を開始する。さらに、ＣＳＧセルＣの小型基地局装置３１ｄからＣＳＧセルＢの小型基地局装置３０ｄへのハンドオーバーが行われると（Ｈｅ２）、小型基地局装置３１ｄのハンドオーバー頻度検出部３３２ｄにあるタイマーＣが動作を開始する。
【００９０】
続いて、各々のタイマーＣの動作中に、ＣＳＧセルＢの小型基地局装置３０ｄからＣＳＧセルＣの小型基地局装置３１ｄへのハンドオーバーと（Ｈｅ３）、ＣＳＧセルＣの小型基地局装置３１ｄからＣＳＧセルＢの小型基地局装置３０ｄへのハンドオーバー（Ｈｅ４）というように、予め決められた閾値を超える回数のハンドオーバーを繰り返すと、ハンドハンドオーバーを繰り返す状況になったと、ＣＳＧセルＢの小型基地局装置３０ｄまたはＣＳＧセルＣの小型基地局装置３１ｄのハンドオーバー判定部３３３ｄが判定する。すると、判定した小型基地局装置からは、移動局装置１０に対して、移動局装置１０が保持しているＣＳＧ情報を更新するための新たなＣＳＧ情報を通知する。ここでは、小型基地局装置３０ｄのハンドオーバー判定部３３３ｄがハンドオーバーを繰り返す状況になったと判定し、小型基地局装置３０ｄのＣＳＧ情報通知部３３５ｄが、ＣＳＧ情報を更新するための新たなＣＳＧ情報を生成し、無線送信部３２０を通して移動局装置１０に通知する（Ｈｅ５）。すなわち、ＣＳＧセルＣが削除されたＣＳＧ情報の通知Ｘを行なう。ここで、タイマーＣの動作は停止する。この通知される新たなＣＳＧ情報には、繰り返しハンドオーバーを行った相手であるＣＳＧセルＣの情報を含めず、ＣＳＧセルＢの情報だけが存在する。ＣＳＧ情報通知部３３５ｄで生成して移動局装置１０に送信した新たなＣＳＧ情報は、ネットワーク通信部３４０とネットワーク４０を経由して、マクロセル基地局装置２０にも通知する。
【００９１】
移動局装置１０のＣＳＧ情報記憶部１３２が保持しているＣＳＧ情報には、ＣＳＧセルＢの情報のみが含まれる。このため、移動局装置１０がＣＳＧセルＢとＣＳＧセルＣのサービス範囲の移動を繰り返しても、ＣＳＧセルＣの小型基地局装置３１ｄにはハンドオーバーしない。移動局装置１０が、ＣＳＧセルＣのサービス範囲に移動した場合は、マクロセルＡのマクロセル基地局装置２０にハンドオーバーする（Ｈｅ６）。次に、移動局装置１０が、マクロセルＡのマクロセル基地局装置２０からＣＳＧセルＢの小型基地局装置３０ｄへ、ハンドオーバーを行うと（Ｈｅ７）、マクロセル基地局装置２０のハンドオーバー頻度検出部２３２にあるタイマーＡが動作開始する。
【００９２】
タイマーＡが動作中に、ＣＳＧセルＢの小型基地局装置３０ｄとマクロセルＡのマクロセル基地局装置２０との間でハンドオーバーを繰り返すように、移動局装置１０が、移動を続ける場合には、第１の実施形態（図３）と同様の動作になる。すなわち、移動局装置１０は、マクロセル基地局装置２０から新たなＣＳＧ情報を受信し、ＣＳＧ情報記憶部１３２が保持しているＣＳＧ情報を更新する（Ｈｅ９）。すなわち、ＣＳＧセルＢが削除されたＣＳＧ情報の通知Ｘ’を行う。なお、マクロセル基地局２０から移動局装置１０に通知するＣＳＧ情報（Ｈｅ９）には、繰り返しハンドオーバーを行った相手であるＣＳＧセルＢの情報を含めず、さらに小型基地局３０ｄから以前に通知されたＣＳＧ情報（Ｈｅ５）に従い、ＣＳＧセルＣの情報も含めない。すなわち、この新たなＣＳＧ情報には、ハンドオーバーの対象となるＣＳＧセルがない。
このときにタイマーＡの動作は停止し、マクロセル基地局装置２０のハンドオーバー頻度検出部２３２のタイマーＢが動作を開始する。
【００９３】
移動局装置１０は、ハンドオーバーの対象となるＣＳＧセルがない新たなＣＳＧ情報を受信したので、ＣＳＧセルＢの小型基地局装置３０ｄにもハンドオーバーを行わないようになり、結局は、マクロセルＡのマクロセル基地局装置２０と安定的に接続することになる。
このように、複数のＣＳＧセルの小型基地局装置間でハンドオーバーを繰り返す場合には、移動局装置１０は、当初、２つのＣＳＧセル情報を保持していたが、しばらくすると1つのＣＳＧセルの情報だけになり、さらに移動を続ける状況であれば、最終的には、ハンドオーバーの対象となるＣＳＧセルの情報を持たないような制御になる。
【００９４】
この例では、移動局装置１０が保持しているＣＳＧ情報に対し、順番に、最初にＣＳＧセルＣの情報を、次にＣＳＧセルＢの情報を含まないように制御したが、ＣＳＧセルＢの小型基地局装置２０ａとＣＳＧセルＣの小型基地局装置３１ｄの間でハンドオーバーを繰り返す時に、ＣＳＧセルＢの小型基地局装置３０ｄから通知する新たなＣＳＧ情報に、同時にＣＳＧセルＢとＣＳＧセルＣの情報を削除した新たなＣＳＧ情報を通知しても良い。この場合、移動局装置１０が保持しているＣＳＧ情報に、ＣＳＧセル情報がないため、直ちにマクロセルＡのマクロセル基地局装置２０にハンドオーバーを行い、しばらくマクロセル基地局装置２０に接続したままで、ハンドオーバーの動作を行わないようになる。
【００９５】
なお、本実施形態においても、第１の実施形態と同様に、タイマーＢの規定時間ＴＢを経過した後に、マクロセル基地局装置２０のＣＳＧ情報キャンセル部２３４が、削除されたＣＳＧセルＢもしくはＣＳＧセルＣの情報を、ＣＳＧ情報に含むように元に戻して、移動局装置１０に通知し（Ｈｅ１０）、ハンドオーバー動作が可能となるようにする。すなわち、復旧のためのＣＳＧ情報の通知Ｙを行う。このＣＳＧ情報を復元させるための制御についても、順番にＣＳＧセルの情報を追加しても良いし、２つ同時にＣＳＧセルの情報を追加しても良い。
【００９６】
[第１の変形例]
上述の第１から第５の実施形態では、ハンドオーバーの対象となるＣＳＧセルの情報をＣＳＧ情報から削除したり追加したりして制御を行ったが、通知するＣＳＧ情報にハンドオーバーの可否を示す情報を追加して通知しても良い。
具体的には、ハンドオーバーが可能である場合は“１“を、ハンドオーバーが不可能である場合は”０“を、あらかじめ決めておいて、ＣＳＧセルの情報と共に、”１“と”０“を追加して通知する。
【００９７】
ＣＳＧセルとして、ＣＳＧセルＢ、ＣＳＧセルＣ、ＣＳＧセルＤ・・・・があり、これらのＣＳＧセルを識別する情報として、ＣＳＧ＿ｂ、ＣＳＧ＿ｃ、ＣＳＧ＿ｄ・・・があるときを例にする。このとき、第１の実施形態での新たなＣＳＧ情報Ｘとして、（ＣＳＧ＿ｂ、ＣＳＧ＿ｃ、ＣＳＧ＿ｄ・・・・・・）を通知する。この情報に加えて、ハンドオーバー可否を意味する（０、１、１・・・・）を通知する。ハンドオーバー可否を示す情報は、それぞれのＣＳＧセルに対応している。この例では、ＣＳＧセルＢが、“０”であるため不可、ＣＳＧセルＣは、“１”であるため可、ＣＳＧセルＤは“１”であるため可ということを意味する。
【００９８】
移動局装置１０は、この情報を受信し、ＣＳＧ情報記憶部１３１に保持しているＣＳＧ情報を更新する。この情報から、小型基地局装置３０ｄへのハンドオーバーは、“０”であって、ハンドオーバーの対象としない。小型基地局装置３１ｄへのハンドオーバーは、“１”であって、ハンドオーバーの対象とすることが読み取られ、移動局装置１０は、このハンドオーバー可否の情報を受信することによって小型基地局装置３０ｄへのハンドオーバー動作を抑制することが可能となる。
【００９９】
[第２の変形例]
また、第１から第５の実施形態では、同一セル間でのハンドオーバー繰返しの場合を説明しているが、移動局装置１０が高速で移動することにより、マクロセルのマクロセル基地局装置と、異なる複数のＣＳＧセルの小型基地局装置との間で短時間に、ハンドオーバーを繰返すような場合もある。この場合に、マクロセル基地局装置から通知するＣＳＧ情報を空とすること、すなわちハンドオーバー対象のＣＳＧセルが存在しないＣＳＧ情報を通知することで、ＣＳＧセルの小型基地局装置へのハンドオーバー自体を抑制する制御を行っても良い。また、上述の第１の変形例のように、通知するＣＳＧ情報に、ハンドオーバー可否を意味する情報を追加したフォーマットで、全てのＣＳＧセルの小型基地局装置へのハンドオーバーが不可であることを意味する情報を追加して、通知しても良い。
また、ハンドオーバー動作を抑制するための新たなＣＳＧ情報を通知するのは、マクロセルの基地局が行うことに限らずに、ＣＳＧセルや、オープンセル（利用可能なユーザーが限定されていないマイクロセル）の小型基地局装置から通知してもよい。
【０１００】
また、図２における制御部１３０、制御部２３０、制御部３３０、および図６の制御部１３０、制御部２３０ａ、制御部３３０ａ、および図９の制御部１３０、制御部２３０ａ、制御部３３０ｂ、および図１２における制御部１３０、制御部２３０ａ、制御部３３０ｃおよび図１５における制御部１３０、制御部２３０、制御部３３０ｄの機能を実現するためのプログラムをコンピュータ読み取り可能な記録媒体に記録して、この記録媒体に記録されたプログラムをコンピュータシステムに読み込ませ、実行することにより各部の処理を行ってもよいし、専用のハードウェアにより各部の処理を行ってもよい。なお、ここでいう「コンピュータシステム」とは、ＯＳや周辺機器等のハードウェアを含むものとする。
【０１０１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１０２】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【０１０３】
本発明は、携帯電話網などの移動体通信システムに用いて好適であるが、これに限定されない。
【符号の説明】
【０１０４】
１、１ａ、１ｂ、１ｃ、１ｄ…無線通信システム
１０…移動局装置
１１０…無線受信部
１１１…受信アンテナ
１２０…無線送信部
１２１…送信アンテナ
１３０…制御部
１３１…受信品質測定部
１３２…ＣＳＧ情報記憶部
１３３…ハンドオーバー先選択部
２０、２０ａ…マクロセル基地局装置
２１０…無線受信部
２１１…受信アンテナ
２２０…無線送信部
２２１…送信アンテナ
２３０、２３０ａ…制御部
２３１…ハンドオーバー処理部
２３２…ハンドオーバー頻度検出部
２３３…ハンドオーバー判定部
２３４…ＣＳＧ情報キャンセル部
２３５…ＣＳＧ情報通知部
２４０…ネットワーク通信部
３０、３０ａ、３０ｂ、３０ｃ、３０ｄ…小型基地局装置
３１０…無線受信部
３１１…受信アンテナ
３２０…無線送信部
３２１…送信アンテナ
３３０、３３０ａ、３３０ｂ、３３０ｃ、３３０ｄ…制御部
３３１…ハンドオーバー処理部
３３２ａ、３３２ｄ…ハンドオーバー頻度検出部
３３２ｂ…受信レベル測定部
３３２ｃ…送信電力検出部
３３３ａ、３３３ｂ、３３３ｃ、３３３ｄ…ハンドオーバー判定部
３３４ｄ…ＣＳＧ情報キャンセル部
３３５ｄ…ＣＳＧ情報通知部
３４０…ネットワーク通信部
【図１】
0005610352.tif 000002
【図２】
0005610352.tif 000003
【図３】
0005610352.tif 000004
【図４】
0005610352.tif 000005
【図５】
0005610352.tif 000006
【図６】
0005610352.tif 000007
【図７】
0005610352.tif 000008
【図８】
0005610352.tif 000009
【図９】
0005610352.tif 000010
【図１０】
0005610352.tif 000011
【図１１】
0005610352.tif 000012
【図１２】
0005610352.tif 000013
【図１３】
0005610352.tif 000014
【図１４】
0005610352.tif 000015
【図１５】
0005610352.tif 000016
【図１６】
0005610352.tif 000017